(57)【特許請求の範囲】
【請求項１】
下部走行体上に上部旋回体を搭載し、この上部旋回体のベースとなるアッパーフレームの前部左右一側にキャビンが搭載されるキャビンデッキを設け、このキャビンデッキは、後端部に左右方向に延びる後横梁を備え、上記キャビン内から導出された配管類を、上記キャビンデッキと、上記キャビンのフロアを形成するフロアプレートの間に形成された配索空間に後向きに通す建設機械の配索構造において、上記後横梁の上面後部に切欠と、この切欠内で後下がりに傾斜する配索プレートを設け、かつ、上記配管類を上記配索プレートに沿う後下がりの傾斜状態で固定する配管類固定手段を具備し、上記キャビンの後部を支持する後横梁本体の後部に、キャビンの後方で上記アッパーフレーム上に設置される機器類を支持する延長部を一体に設けて上記後横梁を構成し、上記切欠及び配索プレートを上記延長部に、上記配管類を上記機器類の下方に向かわせる状態で設けたことを特徴とする建設機械の配索構造。
【請求項２】
上記配索プレートの後端部を下向きに折り曲げ形成したことを特徴とする請求項１記載の建設機械の配索構造。
【請求項３】
上記配管類固定手段として、上記配索プレートの左右方向の両端部及び中間部に、上記配管類を複数の束に分けて上記配索プレート上に結束固定する固定バンドが通されるバンド通し部を設けたことを特徴とする請求項１または２に記載の建設機械の配索構造。
【発明の詳細な説明】
【技術分野】
【０００１】
本発明はショベル等の建設機械において、キャビン内から下方に導出した配管類(配管、配線)を後方に向けて通す配索構造に関するものである。
【背景技術】
【０００２】
ショベルを例にとり、図８〜図１１によって背景技術を説明する。
【０００３】
ショベルは、図８に示すようにクローラ式の下部走行体１上に上部旋回体２が地面に対して鉛直となる軸のまわりに旋回自在に搭載され、この上部旋回体２のベースとなるアッパーフレーム３上に、キャビン４等の各種設備、機器が搭載されるとともに、同フレーム前部に作業アタッチメント(図示省略)が取付けられて構成される。
【０００４】
この明細書においてはキャビン４の位置を左側前部とし、これを基準に「左右」及び「前後」の方向性をいうものとする。
【０００５】
また、図及び説明の簡潔化のために本発明と直接関係のないアッパーフレーム各部の細かな図示、説明を省略する。
【０００６】
図９に示すようにアッパーフレーム３は底板５を備え、車幅方向の中間部においてこの底板５上に、補強部材とアタッチメント取付部材を兼ねる左右一対の縦板６，７が前後方向に設けられている。
【０００７】
また、左縦板６の左外側にキャビンデッキ８が取付けられ、このキャビンデッキ８上に、図示しない減衰装置を介してキャビン４が搭載される。
【０００８】
キャビンデッキ８は、前後両端の横梁９，１０を含む梁材を縦横に組み合わせた大略四角枠状に形成されている。以下、後端の横梁１０を「後横梁」という。
【０００９】
図１０に示すようにキャビン下、すなわち、キャビン４の床板であるフロアプレート１１とキャビンデッキ８との間には配索空間Ａ(図１０参照)が形成され、キャビン４内の操作装置(リモコン弁装置)１２と図示しないコントロールバルブ等とを結ぶ多数本の油圧配管や電気配線(以下、「配管類」という)１３が、フロアプレート１１の配索穴１４から配索空間Ａに導出され、同空間Ａを後向きに通される。図８中、１５は運転席である。
【００１０】
ここで、配索の容易化のために配索空間Ａを下方に広げる手段として、図１０，１１に示すように、後横梁１０の上面部に切欠１６を設け、配索空間Ａとこの切欠１６内を合わせた空間に配管類１３を通す構造が提案されている(特許文献１参照)。
【００１１】
切欠１６は、後横梁１０の長さ方向(左右方向)の中間部において、上面壁と前後両側壁とに跨る、ほぼ上半分を切除する状態で前後方向に貫通して設けられている。
【先行技術文献】
【特許文献】
【００１２】
【特許文献１】特開２０１２−１８８８４８号公報
【発明の概要】
【発明が解決しようとする課題】
【００１３】
上記公知技術によると、配管類１３は切欠１６内で自由となり、配索ルートが定まっていないため、切欠１６の下面及び前後両側面のエッジと接触して損傷するおそれがある。
【００１４】
対策として、切欠１６の前後、左右のサイズを大きくして接触を回避し、もしくは、特許文献１に記載されているように各エッジにゴム等の干渉防止材を取付け、あるいはその双方の手だてを講じる必要がある。
【００１５】
前者の切欠サイズを拡大する手段によると、後横梁１０の強度が低下し、あるいはそのため対策としての補強処理によってコストアップを招く。
【００１６】
一方、後者の干渉防止材を設ける手段によっても、部品点数が増加し、コストアップとなる。
【００１７】
また、図示のようにキャビン４の後方にタンク(燃料タンクまたは作動油タンク)等の機器類１７が、配索空間Ａに一部はみ出して設置される場合、配管類１３がこの機器類１７と干渉するおそれがあるが、公知技術ではこの点の問題に対処できない。
【００１８】
そこで本発明は、後横梁に切欠を設ける構成を前提として、切欠のエッジや機器類と配管類の干渉を確実に防止することができる建設機械の配索構造を提供するものである。
【課題を解決するための手段】
【００１９】
上記課題を解決する手段として、本発明においては、下部走行体上に上部旋回体を搭載し、この上部旋回体のベースとなるアッパーフレームの前部左右一側にキャビンが搭載されるキャビンデッキを設け、このキャビンデッキは、後端部に左右方向に延びる後横梁を備え、上記キャビン内から導出された配管類を、上記キャビンデッキと、上記キャビンのフロアを形成するフロアプレートの間に形成された配索空間に後向きに通す建設機械の配索構造において、上記後横梁の上面後部に切欠と、この切欠内で後下がりに傾斜する配索プレートを設け、かつ、上記配管類を上記配索プレートに沿う後下がりの傾斜状態で固定する配管類固定手段を具備するものである。
【００２０】
この構成によれば、配管類を後横梁の切欠内で配索プレートに沿う後下がりの傾斜状態で固定するため、配管類と切欠のエッジ、及びキャビン後方に設置される機器類との干渉を防止することができる。
【００２１】
従って、第１に切欠のエッジに干渉防止材を取付ける必要がない。
【００２２】
第２に、切欠は、配管類を通すのに必要最小限の範囲として後横梁の上面後部のみに設ければよいため、後横梁の強度低下を招くおそれも、その対策として補強処理を加える必要もない。
【００２３】
つまり、配管類と周辺部材の干渉防止を低コストで実現することができる。
【００２４】
さらに、本発明では、上記キャビンの後部を支持する後横梁本体の後部に、キャビンの後方で上記アッパーフレーム上に設置される機器類を支持する延長部を一体に設けて上記後横梁を構成し、上記切欠及び配索プレートを上記延長部に、上記配管類を上記機器類の下方に向かわせる状態で設ける。
【００２５】
この構成によれば、後横梁と機器類の前後位置関係が定まり、この前後位置関係で配索プレートの位置や傾き等を設定すればよいため、配管類と機器類の干渉防止効果がより確実となるとともに、機器類の組み付けが容易となる。
【００２６】
また、延長部に切欠を設けるため、後横梁本体の強度低下を招かない。
【００２７】
さらに、後横梁が機器類の支持台を兼ねることにより、さらなる組立性の向上及びコストダウンが可能となる。
【００２８】
また本発明においては、上記配索プレートの後端部を下向きに折り曲げ形成するのが望ましい。
【００２９】
こうすれば、配管類を配索プレートに固定することの弊害として配索プレートの後端エッジによって配管類が損傷するおそれがない。
【００３０】
さらに本発明においては、上記配管類固定手段として、上記配索プレートの左右方向の両端部及び中間部に、上記配管類を複数の束に分けて上記配索プレート上に結束固定する固定バンドが通されるバンド通し部を設けるのが望ましい。
【００３１】
こうすれば、配管類を配索プレートに固定するための部品点数とコストを低減できるとともに、配管類を複数の束に分けて整然かつコンパクトに、しかも簡単に固定することができる。
【発明の効果】
【００３２】
本発明によると、後横梁に切欠を設ける構成を前提として、切欠のエッジや機器類と配管類の干渉を確実に防止することができる。
【図面の簡単な説明】
【００３３】
【図１】本発明の実施形態に係るキャビンデッキ後部の平面図である。
【図２】キャビンデッキを構成する後横梁と配索プレートの斜視図である。
【図３】図２の一部の拡大図である。
【図４】配管類を通した状態の図３相当図である。
【図５】図１の一部拡大図である。
【図６】図１のＶＩ−ＶＩ線拡大断面図である。
【図７】配管類を通した状態の図６相当図である。
【図８】本発明の適用対象例としてのショベルと従来技術を説明するための側面図である。
【図９】ショベルの概略平面図である。
【図１０】従来技術を説明するためのキャビンデッキ後部と周辺部材の拡大断面図である。
【図１１】従来技術を示す後横梁の拡大斜視図である。
【発明を実施するための形態】
【００３４】
本発明の実施形態を図１〜図７によって説明する。
【００３５】
実施形態はショベルを適用対象としている。
【００３６】
実施形態において、ショベルの基本構成である次の点は前記従来技術と同じである。
【００３７】
(ｉ)  上部旋回体のベースとなるアッパーフレーム上にキャビンが搭載される点。
【００３８】
(ｉｉ)  キャビンを支持するキャビンデッキ２１が左縦板６の左外側に取付けられる点。
【００３９】
(ｉｉｉ)  キャビンデッキ２１は、前後の横梁(図では後横梁２２のみを示す)を含む梁材を縦横に組み合わせて形成される点。
【００４０】
(ｉｖ)  キャビン下、すなわち、キャビンの床板であるフロアプレート１１とキャビンデッキ２１の間に配索空間Ａが形成され、キャビン内の操作装置とコントロールバルブ等とを結ぶ多数本の配管類１３が、フロアプレート１１の配索穴から配索空間Ａに導出され、同空間Ａを後向きに通される点。
【００４１】
実施形態において、後横梁２２は、図示しない減衰装置を介してキャビン後部を支持する断面逆Ｕ字形の後横梁本体２３と、この後横梁本体２３の後部に一体に設けられた延長部２４とから成っている。
【００４２】
延長部２４は、後横梁本体２３の上面壁と面一状態で後向き水平に設けられ、キャビン後方でアッパーフレーム上に設置されるタンク等の機器類１７の前部がこの延長部２４によって支持される。
【００４３】
図１，２，６，７中、２５は後横梁本体２３の後面と延長部２４の下面とに跨って取付けられた補強壁である。
【００４４】
また、後横梁２２の上面後部、つまり、延長部２４の左右方向の中央部に、切欠２６と、この切欠２６内で後下がりに傾斜する配索プレート２７が設けられている。
【００４５】
切欠２６は、上下方向に貫通しかつ後向きに開放した状態で設けられ、この切欠２６の前縁部に配索プレート２７の前端部が溶接等により固定されて、配索プレート２７が後下がりの傾斜状態で取付けられている。
【００４６】
この配索プレート２７の後端部は、エッジが形成されないように下向きに折り曲げ形成されている。図３中の２７ａはこの折り曲げ部である。
【００４７】
配索プレート２７には、配管類１３を同プレート２７の上面に沿った後下がりの傾斜状態で固定する配管類固定手段としての複数かつ複数種類のバンド通し部が設けられている。
【００４８】
図３〜図５によって詳述する。
【００４９】
配索プレート２７の左右両端部において、上下方向に貫通しかつ横向きに開放する切欠状のバンド通し溝２８，２８が前後方向に間隔を置いた二個所に設けられている。
【００５０】
また、配索プレート２７の左右方向中央部における折り曲げ部２７ａを含めた後部に、上下方向に貫通しかつ後向きに開放する細長いバンド通しスリット２９が設けられている。
【００５１】
さらに、配索プレート２７の左右方向の中間部二個所であって、左右両側のバンド通し溝２８，２８とバンド通しスリット２９の間に丸穴状のバンド通し穴３０が、バンド通し溝２８，２８と同じ前後間隔を置いて設けられている。
【００５２】
このバンド通し溝、スリット、穴２８〜３０の配置により、図５に示すように配索プレート２７の上面スペースが、基本的に、左側バンド通し溝２８と左側バンド通し穴３０の間の左端スペースＳ１、左側バンド通し穴３０とバンド通しスリット２９の間の左側中間スペースＳ２、バンド通しスリット２９と右側バンド通し穴３０の間の右側中間スペースＳ３、右側バンド通し穴３０と右側バンド通し溝２８の間の右端スペースＳ４の四つに分けられる。
【００５３】
配管類１３は、図４，７に示すように各スペースＳ１〜Ｓ４に複数本ずつの束の状態で、配索プレート２７の上面に沿って後下がりに傾斜し、機器類１７の下方に潜り込む状態で通される。
【００５４】
いいかえれば、この機器類下方への潜り込み状態が得られるように、後横梁２２と機器類１７の前後位置関係、配索プレート２７の傾斜角度、前後長さ等が設定されている。
【００５５】
そして、この状態で配管類１３の各束が固定バンド３１によって配索プレート２７の上面に結束固定される。
【００５６】
固定バンド３１は、左端、右端両スペースＳ１，Ｓ４では前後二個所においてバンド通し溝２８とバンド通し穴３０に、中間スペースＳ３，Ｓ４では一個所においてバンド通しスリット２９と後側のバンド通し穴３０にそれぞれ跨って挿通され、配管類束に巻き付けた状態で締め込まれる。
【００５７】
この場合、後側のバンド通し穴３０は、左右両端と中間の両固定バンド３１，３１に共用される。いいかえれば、共用できるようにその直径寸法が設定されている。
【００５８】
ここで、左右両端の固定バンド３１はバンド通し溝２８及びバンド通し穴３０によって前後方向に位置固定されるため前後方向にずれ動くおそれがないこと、及び同バンド３１によって前後二個所で配管類束を固定することにより、左右両端の配管類束を左右に傾いたり前後方向にずれ動いたりすることなく強固に固定することができる。
【００５９】
また、中間二束の配管類１３は、左右両端の配管類束に挟まれることより左右方向に位置固定されて前後方向に方向付けされるため、各一本の固定バンド３１のみによっても適正に固定することができる。
【００６０】
さらに、切欠状のバンド通し溝２８及びバンド通しスリット２９を採用したことにより、固定バンド３１の位置決め及び通し作業が簡単となる。しかも、もう一方のバンド通し部は周囲が閉じた丸穴状のバンド通し穴３０であるため、固定バンド３１が傾いたりずれ動いたりするおそれがない。
【００６１】
この配索構造によると、次の効果を得ることができる。
【００６２】
(Ｉ)   配管類１３を後横梁２２の切欠２６内で配索プレート２７に沿う後下がりの傾斜状態で固定するため、配管類１３と切欠２６のエッジ、及びキャビン後方に設置される機器類１７との干渉を防止することができる。
【００６３】
従って、第１にエッジに干渉防止材を取付ける必要がない。
【００６４】
第２に、切欠２６は、配管類１３を通すのに必要最小限の範囲として後横梁２２の上面後部のみに設ければよいため、後横梁２２の強度低下を招くおそれも、その対策として補強処理を加える必要もない。
【００６５】
つまり、配管類１３と周辺部材の干渉防止を低コストで実現することができる。
【００６６】
(ＩＩ)  後横梁本体２３の後部に、機器類１７を支持する延長部２４を一体に設けて後横梁２２を構成し、切欠２６及び配索プレート２７を延長部２４に、配管類１３を機器類１７の下方に向かわせる状態で設けたことにより、後横梁２２と機器類１７の前後位置関係が定まり、この前後位置関係で配索プレート２７の位置や傾き等を設定すればよいため、配管類１３と機器類１７の干渉防止効果がより確実となるとともに、機器類１７の組み付けが容易となる。
【００６７】
また、延長部２４に切欠２６を設けるため、後横梁本体２３の強度低下を招かない。
【００６８】
さらに、後横梁２２が機器類１７の支持台を兼ねることにより、さらなる組立性の向上及びコストダウンが可能となる。
【００６９】
(ＩＩＩ)   配索プレート２７の後端部を下向きに折り曲げ形成しているため、配管類１３を配索プレート２７に固定することの弊害として配索プレート２７の後端エッジによって配管類が損傷するおそれがない。
【００７０】
(ＩＶ)  配管類固定手段として、配索プレート２７の左右方向の両端部及び中間部に、配管類１３を複数の束に分けて配索プレート２７上に結束固定する固定バンド３１が通されるバンド通し部(バンド通し溝２８、バンド通しスリット２９、バンド通し穴３０)を設けているため、配管類１３を配索プレート２７に固定するための部品点数とコストを低減できるとともに、配管類１３を複数の束に分けて整然かつコンパクトに、しかも簡単に固定することができる。
【００７１】
他の実施形態
(１)  すべてのバンド通し部を丸穴または前後に長い長穴として形成してもよい。また、バンド通し穴を左右方向に一定の小間隔を置いて多数設け、配管類束の結束固定に適した位置のものを選んで固定バンド３１を通すように構成してもよい。
【００７２】
(２)  配管類と配線を分けて固定したい場合は、左右の間隔が大小異なる状態でバンド通し部を設け、小間隔のスペースに配線を固定する構成をとってもよい。
【００７３】
(３)  配管類固定手段として他の手段、たとえば配管類を配索プレート上に押え込み固定するクランプを用いてもよい。
【００７４】
(４)   本発明はショベルに限らず、キャビンデッキとフロアプレートの間の配索空間に配管類を通す構造をとる他の建設機械にも上記同様に適用することができる。
【符号の説明】
【００７５】
１  下部走行体
２  上部旋回体
３  アッパーフレーム
４  キャビン
１１  フロアプレート
１３  配管類
１７  機器類
２１  キャビンデッキ
２２  後横梁
２３  後横梁本体
２４  延長部
Ａ  配索空間
２６  切欠
２７  配索プレート
２７ａ  折り曲げ部
２８  バンド通し部としてのバンド通し溝
２９  同、バンド通しスリット
３０  同、バンド通し穴
３１  固定バンド
【図１】
0006011553.tif 000002
【図２】
0006011553.tif 000003
【図３】
0006011553.tif 000004
【図４】
0006011553.tif 000005
【図５】
0006011553.tif 000006
【図６】
0006011553.tif 000007
【図７】
0006011553.tif 000008
【図８】
0006011553.tif 000009
【図９】
0006011553.tif 000010
【図１０】
0006011553.tif 000011
【図１１】
0006011553.tif 000012